(57)【特許請求の範囲】
【請求項１】
下階建物ユニットの上に載置される上階建物ユニットの床パネル内に水平方向に延在する配管又は配線が工場にて取付けられるとともに、該上階建物ユニットの壁パネルに沿って垂直方向に延在する配管又は配線が工場にて取付けられ、
上階建物ユニットを下階建物ユニットの上に載置し、垂直方向に延在する配管又は配線と、水平方向に延在する配管又は配線とを分岐接続する分岐接続部材を、下階建物ユニットの領域内において、上階建物ユニットの床パネルの下面に取付けることを特徴とするユニット建物の施工方法。
【請求項２】
２つの下階建物ユニットの境界部を除いて天井面材を取付け、この２つの下階建物ユニットを隣接して配置し、
前記配管又は配線が取付けられている２つの上階建物ユニットを、それぞれ上記２つの下階建物ユニットの上に載置し、
上記２つの下階建物ユニットの境界部の天井面材が取付けられていない部分を利用し、上記２つの上階建物ユニットの間で配管又は配線の接続作業を行なった後、
上記２つの下階建物ユニットの境界部に、つなぎ天井面材を取付ける請求項１に記載のユニット建物の施工方法。
【請求項３】
前記配管又は配線が取付けられている２つの上階建物ユニットの境界部を除いて床面材を取付け、
上記２つの上階建物ユニットを、それぞれ２つの下階建物ユニットの上に載置し、
上記２つの上階建物ユニットの境界部の床面材が取付けられていない部分を利用し、上記２つの上階建物ユニットの間で配管又は配線の接続作業を行なった後、
上記２つの上階建物ユニットの境界部に、つなぎ床面材を取付ける請求項１に記載のユニット建物の施工方法。
【請求項４】
前記配管又は配線の接続が、床パネルの外周枠に設けられた挿通孔を通じてなされる請求項２又は３に記載のユニット建物の施工方法。
【請求項５】
前記下階建物ユニットにおける分岐接続部材の下方に天井面材を設ける請求項１〜４のいずれかに記載のユニット建物の施工方法。
【請求項６】
前記下階建物ユニットの天井が、構造強度を有さない薄型なものである請求項１〜５のいずれかに記載のユニット建物の施工方法。
【発明の詳細な説明】
【技術分野】
【０００１】
本発明は建物ユニット及びユニット建物の施工方法に関する。
【背景技術】
【０００２】
ユニット建物を構成する建物ユニットであって、特許文献１に記載の如く、天井構面に設けられる天井面材の上面に配管を取付けてなるものがある。天井構面は天井梁に複数本の天井小梁を架け渡して構成され、これらの天井小梁に天井面材を取付けている。天井梁は約20cmの高さがあり、その高さの範囲内に配管を納めており、天井小梁や天井面材は天井梁の下面より低い位置になる。このため、（ユニット高さが同じなら）天井の室内高が天井梁の高さ相当分低くなる。
【０００３】
他方、特許文献２に記載の如く、天井構面を有さない建物ユニットがある。この建物ユニットの天井パネルは、構造強度を有さず、天井枠材に天井面材を取付けただけの薄型になる。このため、天井構面を有する前述の建物ユニットに比して、（ユニット高さが同じなら）天井の室内高が天井梁がない分だけ高くとれる。
【先行技術文献】
【特許文献】
【０００４】
【特許文献１】特開平11-101496
【特許文献２】特開2001-193166
【発明の概要】
【発明が解決しようとする課題】
【０００５】
特許文献２に記載の如くの天井構面を有さず、天井の室内高を高くとろうとする建物ユニットにおいて、特許文献１に記載の如くに天井面材の上面に配管を工場にて取付けようとすると、以下の問題点がある。即ち、天井の室内高が高くとれるメリットを生かすために、天井パネルは建物ユニットの極力上部に取付けられており、その天井面材の上面に配管を取付けると、建物ユニットの全高がその配管の取付け相当分だけ高くなり、交通法上の輸送制限高を超えてしまう。
【０００６】
尚、建物ユニットの全高を交通法上の輸送制限高に納めるため、天井の室内高を下げると、天井の室内高を高くとるメリットが低減してしまう。
【０００７】
本発明の課題は、ユニット建物の天井裏に配管又は配線を納めながら、天井の室内高を高くとることにある。
【課題を解決するための手段】
【０００８】
請求項１に係る発明は、下階建物ユニットの上に載置される上階建物ユニットの床パネル内に水平方向に延在する配管又は配線が工場にて取付けられるとともに、該上階建物ユニットの壁パネルに沿って垂直方向に延在する配管又は配線が工場にて取付けられ、上階建物ユニットを下階建物ユニットの上に載置し、垂直方向に延在する配管又は配線と、水平方向に延在する配管又は配線とを分岐接続する分岐接続部材を、下階建物ユニットの領域内において、上階建物ユニットの床パネルの下面に取付けるようにしたものである。
【０００９】
請求項２に係る発明は、請求項１に係る発明において更に、２つの下階建物ユニットの境界部を除いて天井面材を取付け、この２つの下階建物ユニットを隣接して配置し、前記配管又は配線が取付けられている２つの上階建物ユニットを、それぞれ上記２つの下階建物ユニットの上に載置し、上記２つの下階建物ユニットの境界部の天井面材が取付けられていない部分を利用し、上記２つの上階建物ユニットの間で配管又は配線の接続作業を行なった後、上記２つの下階建物ユニットの境界部に、つなぎ天井面材を取付けるようにしたものである。
【００１０】
請求項３に係る発明は、請求項１に係る発明において更に、前記配管又は配線が取付けられている２つの上階建物ユニットの境界部を除いて床面材を取付け、上記２つの上階建物ユニットを、それぞれ２つの下階建物ユニットの上に載置し、上記２つの上階建物ユニットの境界部の床面材が取付けられていない部分を利用し、上記２つの上階建物ユニットの間で配管又は配線の接続作業を行なった後、上記２つの上階建物ユニットの境界部に、つなぎ床面材を取付けるようにしたものである。
【００１１】
請求項４に係る発明は、請求項２又は３に係る発明において更に、前記配管又は配線の接続が、床パネルの外周枠に設けられた挿通孔を通じてなされるようにしたものである。
【００１２】
請求項５に係る発明は、請求項１〜４のいずれかに係る発明において更に、前記下階建物ユニットにおける分岐接続部材の下方に天井面材を設けるようにしたものである。
【００１３】
請求項６に係る発明は、請求項１〜５のいずれかに係る発明において更に、前記下階建物ユニットの天井が、構造強度を有さない薄型なものであるようにしたものである。
【発明の効果】
【００１６】
（請求項１）
(a)下階建物ユニットの天井裏になる上階建物ユニットの床パネル内に配管又は配線を納めることができる。このとき、下階建物ユニットの天井はその天井面材の上面に配管又は配線を取付けない分だけ薄くでき、天井の室内高を高くとることができる。
上述の上階建物ユニットにおいて、更に、壁パネルに沿って垂直方向に延在する配管又は配線が工場にて取付けられる。上階建物ユニットの上方（屋根裏等）に設備機器を設置するシステムにおいて、その設備機器へ接続する配管又は配線を工場で取付けることにより、工場生産化率を高めることができる。
上述の上階建物ユニットを下階建物ユニットの上に載置し、垂直方向に延在する配管又は配線と、水平方向に延在する複数の配管又は配線とを分岐接続する分岐接続部材を下階建物ユニットの領域内に設ける。上階建物ユニットの上側から下階建物ユニットの複数カ所に渡る配管又は配線の接続作業の現地施工性を向上することができる。
【００１７】
ここで、分岐接続部材は、下階建物ユニットの領域内において、上階建物ユニットの床パネルの下面に取付けられる。
【００１８】
（請求項２）
(b)２つの下階建物ユニットの境界部を除いて天井面材を取付け、この２つの下階建物ユニットを隣接して配置し、上述(a)の２つの上階建物ユニットを、それぞれ上記２つの下階建物ユニットの上に載置し、上記２つの下階建物ユニットの境界部の天井面材が取付けられていない部分を利用し、上記２つの上階建物ユニットの間で配管又は配線の接続作業を行なった後、上記２つの下階建物ユニットの境界部に、つなぎ天井面材を取付ける。
【００１９】
２つの下階建物ユニットの境界部を除く部分に予め天井面材を取付けておくことにより下階建物ユニットの工場生産化率を高めるとともに、それら２つの下階建物ユニットの境界部の天井面材が取付けられていない部分を利用して２つの上階建物ユニットの間における配管又は配線の接続作業の現地施工性を向上することができる。
【００２０】
（請求項３）
(c)上述(a)の２つの上階建物ユニットの境界部を除いて床面材を取付け、上記２つの上階建物ユニットを、それぞれ２つの下階建物ユニットの上に載置し、上記２つの上階建物ユニットの境界部の床面材が取付けられていない部分を利用し、上記２つの上階建物ユニットの間で配管又は配線の接続作業を行なった後、上記２つの上階建物ユニットの境界部に、つなぎ床面材を取付ける。
【００２１】
２つの上階建物ユニットの境界部を除く部分に予め床面材を取付けておくことにより上階建物ユニットの工場生産化率を高めるとともに、それら２つの上階建物ユニットの境界部の床面材が取付けられていない部分を利用して２つの上階建物ユニットの間における配管又は配線の接続作業の現地施工性を向上することができる。
【００２２】
（請求項４）
(d)上述(b)、(c)の配管又は配線の接続が、床パネルの外周枠に設けられた挿通孔を通じてなされるものとすることにより、２つの上階建物ユニットの間の配管又は配線の接続作業の現地施工性を向上することができる。
【００２６】
（請求項５）
(e)上述(a)の分岐接続部材を下階建物ユニットの領域内に設けた後、下階建物ユニットにおける分岐接続部材の下方に天井面材を設ける。下階建物ユニットの領域内における分岐接続部材の設置作業、及び分岐接続部材を用いる配管又は配線の分岐接続作業の現地施工性を向上することができる。
【００２７】
（請求項６）
(f)上述(a)〜(e)の下階建物ユニットの天井が、構造強度を有さない薄型なものとすることにより、天井の室内高を確実に高くとることができる。
【図面の簡単な説明】
【００２８】
【図１】図１は下階建物ユニットの据付工程を示す模式図である。
【図２】図２は上階建物ユニットの据付工程を示す模式図である。
【図３】図３は配管の接続工程を示す模式図である。
【図４】図４はつなぎ天井面材の取付工程を示す模式図である。
【図５】図５はつなぎ床面材の取付工程を示す模式図である。
【図６】図６は上階建物ユニットの床パネルの配管取付状態を示す斜視図である。
【図７】図７は配管の接続構造を示す模式図である。
【図８】図８は上階建物ユニットの床パネルと壁パネルの配管取付状態を示す模式図である。
【図９】図９は配管の分岐接続状態を示す模式図である。
【発明を実施するための形態】
【００２９】
（参考例１）（図１〜図４、図６、図７）
図１〜図４に示したユニット建物１００は、基礎１の上に複数の下階建物ユニット１０Ａを載置し、それらの下階建物ユニット１０Ａの上に複数の上階建物ユニット１０Ｂを載置して構築される。
【００３０】
下階建物ユニット１０Ａと上階建物ユニット１０Ｂは、工場生産され、両者は実質的に同一構成とすることができる。下階建物ユニット１０Ａと上階建物ユニット１０Ｂは、床パネル２０と、床パネル２０の外縁部に立設される壁パネル３０と、壁パネル３０の最上端部に取付けられる天井パネル４０とを有して構成される。
【００３１】
床パネル２０は、図６に示す如く、側根太２１Ａ、端根太２１Ｂからなる床枠組２１の下面には下枠材２１Ｃを、上面には床面材２２を取着して構成される。
【００３２】
壁パネル３０は、詳しく図示しないが、上枠材、下枠材、縦枠材からなる壁枠組３１の表面に壁面材３２を取着して構成される。
【００３３】
天井パネル４０は、詳しく図示しないが、側枠材、野縁からなる天井枠組４１の下面に天井面材４２を取着して構成される。
【００３４】
以下、ユニット建物１００の天井裏に配管又は配線を納めながら、天井の室内高を高くとることのできる本発明の施工方法について説明する。
【００３５】
下階建物ユニット１０Ａの上に載置される上階建物ユニット１０Ｂは、工場生産段階で、図６に示す如く、その床パネル２０内に水平方向に延在する配管又は配線、本参考例１では空調設備用の可撓ダクトである配管５０が取付けられる。配管５０は、工場施工段階で、床枠組２１の側根太２１Ａに穿設された挿通孔５１に挿通されて床枠組２１内の床面材２２上に取り回され、不図示の取付バンド等により側根太２１Ａに固定される。
【００３６】
ここで、建築現場で相隣ることとなる２つの上階建物ユニット１０Ｂ、１０Ｂのうちの一方の上階建物ユニット１０Ｂ（図２の右側の１０Ｂ）については、建築現場で他方の上階建物ユニット１０Ｂ（図２の左側の１０Ｂ）の側の他の配管５０との接続のために引き出される配管５０の引き出し端５０Ａが、当該一方の上階建物ユニット１０Ｂの工場生産段階で床枠組２１内にて屈曲された状態で床枠組２１外に引き出し可能に納められる。一方の上階建物ユニット１０Ｂに納められる配管５０の引き出し端５０Ａは床枠組２１の外周枠を構成する側根太２１Ａに設けられている挿通孔５１から外方に引き出され、他の配管５０と接続可能にされる。
【００３７】
そして、建築現場で相隣ることとなる２つの上階建物ユニット１０Ｂ、１０Ｂのうちの他方の上階建物ユニット１０Ｂ（図２の左側の１０Ｂ）の側の他の配管５０は、当該他方の上階建物ユニット１０Ｂの工場施工段階で床枠組２１内の所定の配管位置に固定的に取付けられて納められる。
【００３８】
このとき、下階建物ユニット１０Ａの天井パネル４０は構造強度を有さない薄型なものであることが好ましい。上階建物ユニット１０Ｂの天井パネル４０も同一構成とすることができる。天井パネル４０は、例えば特開2001-193166に記載される如く、天井枠組４１の側枠材や野縁をＣ形鋼、リップ付Ｃ形鋼等からなるものとすることにより、構造強度を有さない薄型にすることができる。
【００３９】
以下、ユニット建物１００の施工手順について説明する。
(1)上階建物ユニット１０Ｂの工場生産段階で、配管５０を床パネル２０内に前述の如くに取付ける。
【００４０】
また、下階建物ユニット１０Ａの工場生産段階で、２つの下階建物ユニット１０Ａ、１０Ａの天井パネル４０はそれらの境界部を除く範囲にだけ天井面材４２を取付ける。
【００４１】
下階建物ユニット１０Ａ、上階建物ユニット１０Ｂを建築現場に輸送する。
【００４２】
(2)上述(1)の２つの下階建物ユニット１０Ａ、１０Ａを建築現場の基礎１の上に隣接して載置する（図１）。
【００４３】
(3)２つの下階建物ユニット１０Ａ、１０Ａの上に、それぞれ上述(1)の２つの上階建物ユニット１０Ｂ、１０Ｂを載置する（図２）。
【００４４】
(4)２つの下階建物ユニット１０Ａ、１０Ａの境界部の天井面材４２が取付けられていない部分を利用し、２つの上階建物ユニット１０Ｂ、１０Ｂの間で配管５０の接続作業を行なう（図３）。
【００４５】
このとき、一方の上階建物ユニット１０Ｂの側の配管５０の引き出し端５０Ａを、当該一方の上階建物ユニット１０Ｂの外周枠の側根太２１Ａに設けてある挿通孔５１から引き出し、更にこの挿通孔５１に相対し、他方の上階建物ユニット１０Ｂの外周枠の側根太２１Ａに設けてある挿通孔５１から当該他方の上階建物ユニット１０Ｂの床枠組２１内に引き入れる。そして、他方の上階建物ユニット１０Ｂの床枠組２１内で、一方の上階建物ユニット１０Ｂの側から引き入れた配管５０の引き出し端５０Ａと、他の配管５０の端とが継手５２を介して接続され、それらの接続部の周囲に接続テープ５３が被着される（図７）。
【００４６】
(5)２つの下階建物ユニット１０Ａ、１０Ａの境界部の天井面材４２が取付けられていなかった部分に、つなぎ天井面材４３が取付けられる（図４）。
【００４７】
従って、本参考例によれば以下の作用効果を奏する。
(a)下階建物ユニット１０Ａの上に載置される上階建物ユニット１０Ｂにおいて、床パネル２０内に水平方向に延在する配管５０が工場にて取付けられる。
【００４８】
下階建物ユニット１０Ａの天井裏になる上階建物ユニット１０Ｂの床パネル２０内に配管５０を納めることができる。このとき、下階建物ユニット１０Ａの天井はその天井面材４２の上面に配管５０を取付けない分だけ薄くでき、天井の室内高を高くとることができる。
【００４９】
(b)２つの下階建物ユニット１０Ａの境界部を除いて天井面材４２を取付け、この２つの下階建物ユニット１０Ａを隣接して配置し、上述(a)の２つの上階建物ユニット１０Ｂを、それぞれ上記２つの下階建物ユニット１０Ａの上に載置し、上記２つの下階建物ユニット１０Ａの境界部の天井面材４２が取付けられていない部分を利用し、上記２つの上階建物ユニット１０Ｂの間で配管５０の接続作業を行なった後、上記２つの下階建物ユニット１０Ａの境界部に、つなぎ天井面材４３を取付ける。
【００５０】
２つの下階建物ユニット１０Ａの境界部を除く部分に予め天井面材４２を取付けておくことにより下階建物ユニット１０Ａの工場生産化率を高めるとともに、それら２つの下階建物ユニット１０Ａの境界部の天井面材４２が取付けられていない部分を利用して２つの上階建物ユニット１０Ｂの間における配管５０の接続作業の現地施工性を向上することができる。
【００５１】
(c)上述(b)の下階建物ユニット１０Ａの天井が、構造強度を有さない薄型なものとすることにより、天井の室内高を確実に高くとることができる。
【００５２】
(d)上述(b)の配管５０の接続が、床パネル２０の外周枠を構成する側根太２１Ａに設けられた挿通孔５１を通じてなされるものとすることにより、２つの上階建物ユニット１０Ｂの間の配管５０の接続作業の現地施工性を向上することができる。
【００５３】
（参考例２）（図５）
尚、上階建物ユニット１０Ｂの工場生産段階で、配管５０を床パネル２０内に取付けるとともに、２つの上階建物ユニット１０Ｂ、１０Ｂの床パネル２０はそれらの境界部を除く範囲にだけ床面材２２を取付けるものとしても良い。この場合、２つの下階建物ユニット１０Ａ、１０Ａの天井パネル４０はそれらの境界部を含む範囲の全域に天井面材４２が取付けられる。
【００５４】
そして、上述の下階建物ユニット１０Ａ、上階建物ユニット１０Ｂを用いるユニット建物１００の施工方法では、２つの上階建物ユニット１０Ｂ、１０Ｂをそれぞれ２つの下階建物ユニット１０Ａ、１０Ａの上に載置し、２つの上階建物ユニット１０Ｂ、１０Ｂの境界部の床面材２２が取付けられていない部分を利用し、上記２つの上階建物ユニット１０Ｂ、１０Ｂの間で配管５０の接続作業（床パネル２０の外周枠の側根太２１Ａに設けた挿通孔５１を用いる等の前記参考例１におけると同様の接続作業）を行なう。その後、図５に示す如く、２つの上階建物ユニット１０Ｂ、１０Ｂの境界部の床面材２２が取付けられていなかった部分に、つなぎ床面材２３を取付ける。
【００５５】
２つの上階建物ユニット１０Ｂ、１０Ｂの境界部を除く部分に予め床面材２２を取付けておくことにより上階建物ユニット１０Ｂの生産化率を高めるとともに、それら２つの上階建物ユニット１０Ｂ、１０Ｂの境界部の床面材２２が取付けられていない部分を利用して２つの上階建物ユニット１０Ｂ、１０Ｂの間における配管５０の接続作業の現地施工性を向上することができる。
【００５６】
（実施例１）（図８、図９）
実施例１のユニット建物２００は、参考例１のユニット建物１００と同様に、基礎１の上に複数の下階建物ユニット１０Ａを載置し、それらの下階建物ユニット１０Ａの上に複数の上階建物ユニット１０Ｂを載置して構築される。
【００５７】
以下、ユニット建物２００の上階の上側から下階の複数ヵ所に渡って配管又は配線するに際し、ユニット建物２００の天井裏に配管又は配線を納めながら、天井の室内高を高くとることのできる本発明の施工方法について説明する。
【００５８】
下階建物ユニット１０Ａの上に載置される上階建物ユニット１０Ｂは、工場生産段階で、図８に示す如く、その床パネル２０内に水平方向に延在する複数の配管又は配線、本実施例では空調設備用の可撓ダクトである複数の配管５０が図６に示した参考例１におけると同様に固定的に取付けられる。
【００５９】
ここで、上階建物ユニット１０Ｂの床パネル２０内に取付けられた各配管５０の一端は、後述する分岐接続部材７０との接続のための接続端５０Ａとされ、各配管５０の他端は、下階建物ユニット１０Ａに設置される給気グリル８０との接続のための接続端５０Ｂとされる。それらの接続端５０Ａ、５０Ｂは当該上階建物ユニット１０Ｂの工場生産段階で床枠組２１内に屈曲された状態で納められる。
【００６０】
更に、上階建物ユニット１０Ｂは、工場生産段階で、図８に示す如く、その壁パネル３０内に垂直方向に延在する配管又は配線、本実施例では空調用設備の可撓ダクトである配管６０が固定的に取付けられる。配管６０は、工場生産段階で、壁枠組３１の上枠材に穿設された挿通孔から壁枠組３１外に引き出し可能にされる状態で、壁枠組３１内の縦枠材に取付バンド等により固定され、壁枠組３１の下枠材に穿設された挿通孔に挿通され、床枠組２１内に挿入される。
【００６１】
ここで、上階建物ユニット１０Ｂの壁パネル３０内に取付けられた配管６０の上端は、建築現場で上階建物ユニット１０Ｂの上方の小屋裏等に設置される空調ユニット等との接続のために壁枠組３１外に引き出される接続端６０Ａとされ、配管６０の下端は、後述する分岐接続部材７０との接続のために床枠組２１内に挿入される接続端６０Ｂとされる。それらの接続端６０Ａ、６０Ｂは当該上階建物ユニット１０Ｂの工場生産段階で壁枠組３１、床枠組２１内に屈曲された状態で納められる。
【００６２】
このとき、下階建物ユニット１０Ａと上階建物ユニット１０Ｂの天井パネル４０は、実施例１におけると同様に構造強度を有さない薄型なものであることが好ましい。
【００６３】
以下、ユニット建物２００の施工手順について説明する。
(1)上階建物ユニット１０Ｂの工場生産段階で、各配管５０を床パネル２０内に、配管６０を壁パネル３０内に、前述の如くに取付ける。
【００６４】
また、下階建物ユニット１０Ａの工場生産段階で、下階建物ユニット１０Ａの天井パネル４０は分岐接続部材７０が配置されることとなる領域を除く範囲にだけ天井面材４２を取付ける。天井面材４２が取付けられる居室Ａと取付けられない居室Ｂの間には、間仕切壁３３が立設される（図９）。
【００６５】
下階建物ユニット１０Ａ、上階建物ユニット１０Ｂを建築現場に輸送する。
【００６６】
(2)下階建物ユニット１０Ａを建築現場の基礎１の上に載置する。
【００６７】
(3)下階建物ユニット１０Ａの上に、上階建物ユニット１０Ｂを載置する（図９）。
【００６８】
(4)下階建物ユニット１０Ａの天井面材４２が取付けられていない部分を利用し、下階建物ユニット１０Ａの領域内に配置されることとなる分岐接続部材７０を上階建物ユニット１０Ｂの床パネル２０の下面に取付ける。そして、この分岐接続部材７０に各配管５０の接続端５０Ａと、配管６０の接続端６０Ｂとを分岐接続する。
【００６９】
尚、配管６０の接続端６０Ａは上階建物ユニット１０Ｂの壁パネル３０における壁枠組３１の上枠材から外部に引き出され、上階建物ユニット１０Ｂの上方の小屋裏等に設置される空調ユニット等に接続される。
【００７０】
(5)下階建物ユニット１０Ａの分岐接続部材７０が配置された領域であって、天井面材４２が取付けられていなかった部分に、下がり天井面材４４が取付けられる（図９）。
【００７１】
(6)各配管５０の接続端５０Ｂが各天井面材４２、４４に設けた挿通孔からそれらの天井下の居室Ａ、Ｂの側に引き出され、それらの接続端５０Ｂに各居室Ａ、Ｂのための給気グリル８０が接続される。その後、各給気グリル８０が各天井面材４２、４４の下面に取付けられる。
【００７２】
従って、本実施例によれば以下の作用効果を奏する。
(a)下階建物ユニット１０Ａの上に載置される上階建物ユニット１０Ｂにおいて、床パネル２０内に水平方向に延在する配管５０が工場にて取付けられる。
【００７３】
下階建物ユニット１０Ａの天井裏になる上階建物ユニット１０Ｂの床パネル２０内に配管５０を納めることができる。このとき、下階建物ユニット１０Ａの天井はその天井面材４２の上面に配管５０を取付けない分だけ薄くでき、天井の室内高を高くとることができる。
【００７４】
(b)上述(a)の上階建物ユニット１０Ｂにおいて、更に、壁パネル３０に沿って垂直方向に延在する配管６０が工場にて取付けられる。上階建物ユニット１０Ｂの上方（屋根裏等）に設備機器を設置するシステムにおいて、その設備機器へ接続する配管６０を工場で取付けることにより、工場生産化率を高めることができる。
【００７５】
(c)上述(b)の上階建物ユニット１０Ｂを下階建物ユニット１０Ａの上に載置し、垂直方向に延在する配管６０と、水平方向に延在する複数の配管５０とを分岐接続する分岐接続部材７０を下階建物ユニット１０Ａの領域内に設ける。上階建物ユニット１０Ｂの上側から下階建物ユニット１０Ａの複数カ所に渡る配管５０、６０の接続作業の現地施工性を向上することができる。
【００７６】
分岐接続部材７０は上階建物ユニット１０Ｂの床パネル２０の下面に現地にて取付けることができる。或いは、分岐接続部材７０は下階建物ユニット１０Ａの壁パネル３０の上部に工場又は現地にて取付けることもできる。
【００７７】
(d)上述(c)の分岐接続部材７０を下階建物ユニット１０Ａの領域内に設けた後、下階建物ユニット１０Ａにおける分岐接続部材７０の下方に天井面材４４を設ける。下階建物ユニット１０Ａの領域内における分岐接続部材７０の設置作業、及び分岐接続部材７０を用いる配管５０の分岐接続作業の現地施工性を向上することができる。
【００７８】
(e)上述(c)、(d)の下階建物ユニット１０Ａの天井が、構造強度を有さない薄型なものとすることにより、天井の室内高を確実に高くとることができる。
【００７９】
以上、本発明の実施例を図面により詳述したが、本発明の具体的な構成はこの実施例に限られるものではなく、本発明の要旨を逸脱しない範囲の設計の変更等があっても本発明に含まれる。例えば、下階建物ユニット１０Ａの領域内に設けられた分岐接続部材７０に分岐接続される配管５０は、当該下階建物ユニット１０Ａの上に載置される上階建物ユニット１０Ｂの床パネル２０内に水平方向に延在されて当該下階建物ユニット１０Ａ内に取付けられる給気グリル８０等に接続されるものに限らず、当該下階建物ユニット１０Ａの上に載置された上階建物ユニット１０Ｂの床パネル２０から隣接する他の上階建物ユニット１０Ｂの床パネル２０内に水平方向に延在されて当該下階建物ユニット１０Ａに隣接する他の下階建物ユニット１０Ａに取付けられる給気グリル８０等に接続されるものでも良い。
【００８０】
また、上階建物ユニット１０Ｂの壁パネル３０に沿って垂直方向に延在される配管６０は、壁パネル３０内に限らず、壁パネル３０に沿って設けられるパイプシャフト内に設けられるものでも良い。
【００８１】
また、本発明では、配管として換気・空調設備用ダクト以外に、給排水管、空調用冷媒管等を適用するものでも良い。また、配線として電力線・情報線等の配線を適用するものでも良い。また、それらの配管、配線を入れるための鞘管等を適用するものでも良い。
【産業上の利用可能性】
【００８２】
本発明は、下階建物ユニットの上に載置される上階建物ユニットにおいて、床パネル内に水平方向に延在する配管又は配線が工場にて取付けられる。これにより、ユニット建物の天井裏に配管又は配線を納めながら、天井の室内高を高くとることができる。
【符号の説明】
【００８３】
１０Ａ  下階建物ユニット
１０Ｂ  上階建物ユニット
２０  床パネル
２１  床枠組
２１Ａ  側根太（外周枠）
２２  床面材
２３  つなぎ床面材
３０  壁パネル
３１  壁枠組
４０  天井パネル
４２  天井面材
４３  つなぎ天井面材
４４  下がり天井面材
５０  配管（配管又は配線）
５０Ａ  引き出し端
５１  挿通孔
６０  配管
７０  分岐接続部材
【図１】
0005775410.tif 000002
【図２】
0005775410.tif 000003
【図３】
0005775410.tif 000004
【図４】
0005775410.tif 000005
【図５】
0005775410.tif 000006
【図６】
0005775410.tif 000007
【図７】
0005775410.tif 000008
【図８】
0005775410.tif 000009
【図９】
0005775410.tif 000010